(57)【特許請求の範囲】
【請求項１】
法面にコンクリートを施工する法面施工方法であって、
水平方向に延びる上部枠材および下部枠材を有するコンクリート型枠を法面に沿って設ける工程と、
前記コンクリート型枠の内部にコンクリートを打設する工程と、
打設した前記コンクリートに鉄筋を設け、前記鉄筋を格子状に結束し、溶接加工して格子状配筋とする工程と、
前記格子状配筋の上に網材を載せ、前記網材の上部から前記コンクリートにバイブレータをかける工程と、
前記網材をずらしながら、前記網材の上部から前記コンクリート面全体にバイブレータをかける工程と、
前記上部枠材および前記下部枠材の上部に１対のレール材を間隔をあけて架け渡す工程と、
スライド材と、前記スライド材に設けられ、各レール材の間隔で各レール材の鉛直方向の高さと同じ高さで突出するならし部と、柄部とを有するならし器具の前記スライド材を各レール材の上部に架け渡し、前記ならし部を各レール材の間に配置する工程と、
前記柄部を持って前記スライド材を各レール材に沿ってスライドさせ、前記ならし部材で各レール材の間のコンクリートの表面をならす工程とを、
有することを特徴とする法面施工方法。
【発明の詳細な説明】
【技術分野】
【０００１】
本発明は、法面施工方法に関する。
【背景技術】
【０００２】
従来、法面にコンクリートを打設するとき、ならし器具でコンクリート表面をならしていた。ならし器具としては、細長い板状のならし部に垂直に柄を設けたものが知られている（例えば、特許文献１参照）。
【先行技術文献】
【特許文献】
【０００３】
【特許文献１】実開平７−２３００５号公報
【発明の概要】
【発明が解決しようとする課題】
【０００４】
しかしながら、従来、ならし器具でコンクリート表面に均一に力を加えるには熟練を要し、慣れていないとコンクリート表面に凹凸ができやすいという課題があった。
【０００５】
本発明は、このような課題に着目してなされたもので、熟練していなくてもコンクリート表面を容易にならすことができる法面施工方法を提供することを目的としている。
【課題を解決するための手段】
【０００６】
上記目的を達成するために、本発明に関連するならし器具は、コンクリート型枠の上部に配置される１対のレール材に沿ってコンクリートをならすためのならし器具であって、各レール材の上部に架け渡し可能なスライド材と、前記スライド材に設けられ、各レール材の間隔で各レール材の鉛直方向の高さと同じ高さで突出するならし部と、前記ならし部に垂直方向に伸びるよう設けられた柄部とを、有することを特徴とする。
【０００７】
本発明に関連するならし器具は、コンクリート表面をならすとき、平行な１対のレール材の上部にスライド材を架け渡し、ならし部を各レール材の間に配置する。柄部を持ってスライド材を各レール材に沿って移動させれば、ならし部により各レール材の下面と同じ高さでコンクリート面をならすことができる。これにより、熟練していなくてもコンクリート表面を容易にならすことができる。
【０００８】
本発明に関連するレール材は、本発明に関連するならし器具とともに用いられる１対のレール材であって、前記コンクリート型枠は上部枠材および下部枠材を有して法面に設けられ、前記上部枠材および前記下部枠材に架け渡した状態で前記下部枠材と係合可能な突起を有することを、特徴とする。
本発明に関連するレール材は、上部枠材および下部枠材に架け渡した状態で突起を下部枠材と係合可能なため、コンクリート型枠の上部への配置が容易で、法面施工の効率化を図ることができる。
【０００９】
本発明に係る法面施工方法は、法面にコンクリートを施工する法面施工方法であって、水平方向に延びる上部枠材および下部枠材を有するコンクリート型枠を法面に沿って設ける工程と、前記コンクリート型枠の内部にコンクリートを打設する工程と、打設した前記コンクリートに鉄筋を設け、前記鉄筋を格子状に結束し、溶接加工して格子状配筋とする工程と、前記格子状配筋の上に網材を載せ、前記網材の上部から前記コンクリートにバイブレータをかける工程と、前記網材をずらしながら、前記網材の上部から前記コンクリート面全体にバイブレータをかける工程と、前記上部枠材および前記下部枠材の上部に１対のレール材を間隔をあけて架け渡す工程と、スライド材と、前記スライド材に設けられ、各レール材の間隔で各レール材の鉛直方向の高さと同じ高さで突出するならし部と、柄部とを有するならし器具の前記スライド材を各レール材の上部に架け渡し、前記ならし部を各レール材の間に配置する工程と、前記柄部を持って前記スライド材を各レール材に沿ってスライドさせ、前記ならし部材で各レール材の間のコンクリートの表面をならす工程とを、有することを特徴とする。
【００１０】
本発明に係る法面施工方法によれば、熟練していなくてもコンクリート表面を容易にならすことができ、法面のコンクリート施工を容易にすることができる。
コンクリートを打設する工程と１対のレール材を互いに平行に間隔をあけて架け渡す工程との間には、打設したコンクリートに鉄筋を設け、鉄筋を格子状に結束して溶接加工する工程と、溶接加工した格子状鉄筋（配筋）の上に網材を載せ、網材の上部からコンクリートにバイブレータをかける工程と、網材をずらしながら、網材の上部からコンクリート面全体にバイブレータをかける工程を有することにより、コンクリートの締め固めができ、ジャンカ防止が可能になる。
【発明の効果】
【００１１】
本発明によれば、熟練していなくてもコンクリート表面を容易にならすことができる法面施工方法を提供することができる。
【図面の簡単な説明】
【００１２】
【図１】本発明の実施の形態に関するならし器具をレール材に架け渡した状態を示す斜視図である。
【図２】図１のならし器具の下側を示す斜視図である。
【図３】本発明の実施の形態に関するレール材の下部を示す斜視図である。
【図４】法面に沿って設けられたコンクリート型枠に図２のレール材を配置した状態を示す斜視図である。
【発明を実施するための形態】
【００１３】
以下、図面に基づき、本発明の実施の形態について説明する。
図１および図２に示すように、ならし器具１０は、スライド材１１とならし部１２と柄部１３とを有している。
スライド材１１は、細長い板状であって、平行に配置した各レール材２０の上部に架け渡し可能な長さを有している。ならし部１２は、細長い板状であって、スライド材１１の下部にスライド材１１の長さ方向に沿って固定され、スライド材１１から各レール材２０の間隔で各レール材２０の鉛直方向の高さと同じ高さで突出する。スライド材１１は、ならし部１２より長く、両端がならし部１２より突出している。ならし部１２は、スライド材１１に対し垂直に突出していても、スライド材１１の後方に傾斜して突出していてもよい。この場合の傾斜角度は、例えば、スライド板の下面に対して１２０度である。
【００１４】
柄部１３は、ならし部１２に垂直方向に伸びるよう設けられている。柄部１３は、ならし部１２に直接固定されていても、スライド材１１を介して固定されていてもよい。ならし器具１０は、スチールやアルミニウムなどの金属から成っていても、木材から成っていてもよい。柄部１３とスライド材１１とは、２枚の補強板１４により結合されている。
【００１５】
ならし器具１０は、コンクリート型枠３０の上部に配置される１対のレール材２０に沿ってコンクリートをならすために用いられる。コンクリート型枠３０は、上部枠材３１および下部枠材３２を有して法面に設けられている。
【００１６】
図１および図３に示す１対のレール材２０が、ならし器具１０とともに用いられる。各レール材２０は、下端側部２１に突起２２を有している。突起２２は、下端側部２１に切込みを入れ、垂直方向に立ち上げることにより形成することができる。突起２２は、上部枠材３１および下部枠材３２に架け渡した状態で下部枠材３２と係合可能である。
【００１７】
本発明の実施の形態の法面施工方法では、以下の工程により法面にコンクリートを施工する。
まず、法面に砂利を敷設する。砂利の上にならしコンクリートを約１０ｃｍの厚さで打設する。コンクリート型枠３０を法面に沿って設ける。コンクリート型枠３０は、水平方向に延びる上部枠材３１および下部枠材３２を有する
【００１８】
コンクリート型枠３０の内部にコンクリートを打設する。コンクリートに鉄筋を設ける。鉄筋を格子状に結束し、溶接加工する。格子状配筋の上に網材を載せ、網材の上からコンクリートにバイブレータをかける。網材をずらしながら、網材の上からコンクリート面全体にバイブレータをかける。このように、網材（メッシュ）を敷くことにより、コンクリートの締め固めができ、ジャンカ、特に水切り板の上下にできるジャンカの防止が可能になる。また、コンクリート面に対し、外Ｒ面、内Ｒ面の仕上げも可能となる。
【００１９】
上部枠材３１および下部枠材３２の上部に垂直に、１対のレール材２０を互いに平行に間隔をあけて架け渡す。各レール材２０は、上部枠材３１および下部枠材３２に架け渡した状態で突起２２を下部枠材３２と係合可能なため、コンクリート型枠３０の上部への配置が容易で、法面施工の効率化を図ることができる。
ならし器具１０のスライド材１１を各レール材２０の上部に架け渡し、ならし部１２を各レール材２０の間に配置する。
【００２０】
柄部１３を持って、スライド材１１を各レール材２０に沿ってスライドさせ、ならし部１２により各レール材２０の間のコンクリートの表面を各レール材２０の下面と同じ高さでならす。
これにより、熟練していなくてもコンクリート表面を容易にならすことができ、法面のコンクリート施工を容易にすることができる。
【００２１】
ならし器具１０でならした後、コンクリートの上でトロウェールを稼動させ、コンクリート表面の目を細かくする。その後、コンクリートの表面に金ごてを当て、さらに刷毛引きを行う。
こうして、法面にコンクリートを施工することができる。
【符号の説明】
【００２２】
１０  ならし器具
１１  スライド材
１２  ならし部
１３  柄部
１４  補強板
２０  レール材
２１  下端側部
２２  突起
３０  コンクリート型枠
３１  上部枠材
３２  下部枠材
【要約】
【課題】熟練していなくてもコンクリート表面を容易にならすことができるならし器具、レール材および法面施工方法を提供することができる。
【解決手段】  ならし器具１０がスライド材１１とならし部１２と柄部１３とを有する。コンクリート型枠が上部枠材および下部枠材を有して法面に設けられる。コンクリート型枠の上部に１対のレール材２０が配置される。スライド材１１は各レール材２０の上部に架け渡し可能である。ならし部１２はスライド材１１に設けられ、各レール材２０の間隔で各レール材２０の鉛直方向の高さと同じ高さで突出する。柄部１３はならし部１２に垂直方向に伸びるよう設けられる。各レール材２０は上部枠材および下部枠材に架け渡した状態で下部枠材と係合可能な突起を有する。
【選択図】図１【図１】
0006019462.tif 000002
【図２】
0006019462.tif 000003
【図３】
0006019462.tif 000004
【図４】
0006019462.tif 000005